(57)【要約】【課題】  光ディスクに記録されている信号をレーザー光によって読み出すように構成された光ピックアップ装置を提供する。【解決手段】  レンズホルダー１に取り付けられているトラッキングコイル６、フォーカスコイル７、８、ローリング打消しコイル９，１０との協働によって各駆動力を得るために設けられているマグネット４，５を複数の単極マグネットにて構成することによって磁束密度を高めるように構成したことを特徴とするもである。【選択図】  図３
2008152831.tif 000002
【特許請求の範囲】
【請求項１】
対物レンズが取り付けられるとともに複数の支持ワイヤーによってアクチュエータフレームに対して変位可能に弾性的に支持されているレンズホルダーと、該レンズホルダーの側面に固定されているとともに前記アクチュエータフレームに固定されている第１マグネット及び第２マグネットとから生成される磁界にて形成される第１フォーカス用磁気回路との協働により該レンズホルダーを光ディスクの信号面に対して垂直方向へ変位せしめる駆動力を発生させる第１フォーカスコイルと、前記レンズホルダーの側面に固定されているとともに前記アクチュエータフレームに固定されている第３マグネット及び第４マグネットとから生成される磁界にて形成される第２フォーカス用磁気回路との協働により該レンズホルダーを光ディスクの信号面に対して垂直方向へ変位せしめる駆動力を発生させる第２フォーカスコイルと、前記レンズホルダーの側面に固定されているとともに前記第２マグネット及び前記第４マグネットとから生成される磁界にて形成されるトラッキング用磁気回路との協働により該レンズホルダーを光ディスクのトラッキング方向へ変位せしめる駆動力を発生させるトラッキングコイルと、前記レンズホルダーの側面に固定されているとともに各々前記第１フォーカス用磁気回路及び第２フォーカス用磁気回路との協働により前記トラッキングコイルへの駆動信号の供給により該レンズホルダーがトラッキング方向へ変位せしめられる際に発生するローリングを打ち消す方向に駆動力を発生させる第１及び第２ローリング打消しコイルとより成り、前記１、第２、第３及び第４マグネットを単極マグネットにて構成するとともに第１及び第２マグネットを密着させ、且つ第３マグネットと第４マグネットとを密着させ、更に第２マグネットと第４マグネットとを密着させて配置したことを特徴とする光ピックアップ装置。
【請求項２】
第１マグネットと第３マグネットとを同一の形状の単極マグネットにて構成するとともに第２マグネットと第４マグネットとを同一形状の単極マグネットにて構成したことを特徴とする請求項１に記載の光ピックアップ装置。
【請求項３】
対物レンズの光軸方向と平行な前記トラッキングコイルの巻回中心点を通る軸が前記レンズホルダーの重心とレンズホルダーの側面に対して垂直に結ぶ平面上に位置するようにトラッキングコイルを配置したことを特徴とする請求項１に記載の光ピックアップ装置。
【請求項４】
第１フォーカスコイルと第２フォーカスコイルとをトラッキングコイルを中心として対称の位置になるように配置したことを特徴とする請求項３に記載の光ピックアップ装置。
【請求項５】
第１ローリング打消しコイルと第２ローリング打消しコイルとをトラッキングコイルを中心として対称の位置になるように配置したことを特徴とする請求項３に記載の光ピックアップ装置。
【請求項６】
第１ローリング打消しコイル及び第２ローリング打消しコイルを各々第１フォーカスコイル及び第２フォーカスコイルに重ねて配置したことを特徴とする請求項４に記載の光ピックアップ装置。
【請求項７】
異なる規格の光ディスクに記録されている信号の読み出し動作を行う第１及び第２の対物レンズをレンズホルダーに取り付けたことを特徴とする請求項１に記載の光ピックアップ装置。
【請求項８】
第１対物レンズの中心軸と第２対物レンズの中心軸とを結ぶ線が光ディスクの径方向になるように第１対物レンズと第２対物レンズとを配置したことを特徴とする請求項７に記載の光ピックアップ装置。
【請求項９】
対物レンズの光軸を通るトラッキング方向の仮想線に対して線対称になるように各種駆動コイルの配置位置及び各マグネットの配置位置が設定されていることを特徴とする請求項１〜８のいずれかに記載の光ピックアップ装置。
【請求項１０】
レンズホルダーの側面に沿って該レンズホルダーの周囲に第1チルトコイルと第２チルトコイルとをそれぞれ対物レンズの光軸方向に位置をずらして巻回し、第1チルトコイルと第２チルトコイルとに互いに逆向きに駆動信号を流すように構成するとともに第１チルトコイル及び第２チルトコイルの有効辺領域をマグネットの互いに逆極
性の磁極面に相対させるようにして前記レンズホルダーをラジアルスキュー方向にチルト駆動させることが出来るように構成したことを特徴とする請求項９に記載の光ピックアップ装置。
【発明の詳細な説明】
【技術分野】
【０００１】
本発明は、光ディスクに記録されている信号をレーザー光によって読み出すように構成された光ピックアップ装置に関する。
【背景技術】
【０００２】
光ピックアップ装置から照射されるレーザー光を光ディスクに設けられている信号記録層に照射することによって信号の読み出し動作や信号の記録動作を行うことが出来る光ディスク装置が普及している。
【０００３】
光ディスク装置としては、ＣＤやＤＶＤと呼ばれる光ディスクを使用するものが一般に普及しているが、最近では記録密度を向上させた光ディスク、即ちＢｌｕ−ｒａｙ規格やＨＤ  ＤＶＤ（High Density Digital Versatile Disk）規格の光ディスクを使用するものが製品化されている。
【０００４】
光ディスクに記録される信号の密度を向上させるためには、光ディスクの信号面に照射されるレーザー光のスポット径を小さくする必要があり、そのためにはレーザー光の波長を短くする必要がある。光ディスク装置に使用される光ピックアップ装置には、レーザー光を生成するレーザーダイオードが組み込まれている。
【０００５】
前述したＣＤ規格のディスクに記録されている信号を再生するために使用されるレーザー光は赤外光が使用され、ＤＶＤ規格のディスクに記録されている信号を再生するために使用されるレーザー光は赤色光が使用され、そしてＢｌｕ−ｒａｙ規格やＨＤ  ＤＶＤ規格(次世代ＤＶＤ)のディスクに記録されている信号を再生するために使用されるレーザー光は青紫色光が使用されている。
【０００６】
そして、前述した全ての規格の光ディスクを使用することが出来る光ディスク装置が商品化されることが考えられ、その場合、全ての光ディスクから信号の記録再生動作を行うことが出来る光ピックアップ装置が必要になる。斯かる光ピックアップ装置においては、ＣＤ及びＤＶＤ用の対物レンズと次世代ＤＶＤ用の対物レンズの２つのレンズを光ピックアップ装置に組み込む方法が考えられる。（特許文献１参照。）（特許文献２参照。）
２つの対物レンズが組み込まれた光ピックアップ装置では、各対物レンズを光ディスクの径方向に対して直交する方向に並べて配置することも出来るが、この場合には、一方の対物レンズが光ディスクの同一径上を移動するようにして２つの対物レンズを配置すると、他方の対物レンズは、この径から一定距離だけ離れた位置を光ディスクの径に沿って移動することになる。この場合、光ディスクの径からずれた方の対物レンズを介して光検出器上に投影される信号トラックの方向は、この対物レンズが光ディスクの内周側から外周側へ移動するに従ってずれることになる。その結果、斯かる構成の光ピックアップ装置では、精度の高い信号の記録再生動作を行うことが出来ないという問題がある。
【０００７】
斯かる問題を解決する方法として、２つの対物レンズを光ディスクの径方向に並べて配置する方法がある。斯かる構成の光ピックアップ装置では、２つの対物レンズのうち外側に配置される対物レンズを光ディスクの最内周位置に移動させると、内周側に配置されている対物レンズはその位置よりも更に内周側に移動することになる。このように２つの対物レンズを光ディスクの径方向に並べて配置する場合には、光ディスクの内周側に配置される対物レンズと光ディスクが載置されるターンテーブルとの間のクリアランスが問題になる。斯かる問題は、２つのレンズの小径化やレンズホルダーの形状を工夫することによって解決することが出来る。
【０００８】
次世代ＤＶＤの一つとして商品化が進められているブルーレイディスクと呼ばれる規格の光ディスクでは、他の光ディスクと比較してデータ領域の最内周位置が内周側にシフトされている。従って、前述した光ディスクが載置されるターンテーブルとの間のクリアランス問題に対処するためには、ブルーレイディスク用の対物レンズを光ディスクの内周側に配置する方が有利となる。
【０００９】
前述した構成の光ピックアップ装置においては、対物レンズが取り付けられているともに複数の支持ワイヤーにて変位可能に支持されているレンズホルダーにフォーカス動作を行うフォーカスコイルやトラッキング動作を行うトラッキングコイルが固定されている。
【００１０】
斯かる光ピックアップ装置において、対物レンズが光ディスクに近づくようにレンズホルダーの上面に取り付けられること、フォーカスコイルやトラッキングコイルの配置や磁気回路の構成から一般にレンズホルダーの重心と該レンズホルダーをトラッキング方向に変位駆動させる際に発生する駆動力の作用点とが上下方向、すなわち対物レンズの光軸方向にずれており、レンズホルダーがトラッキング方向に駆動される際にレンズホルダーが光ディスクのラジアル方向の回転運動の横揺れ、所謂ローリングが発生する。
【００１１】
このローリングを防止するためにトラッキングコイルの配置位置及び該トラッキングコイルに付与する磁束を発生する磁気回路の構成を工夫してトラッキングコイルに駆動電流を流すと、トラッキング方向の駆動力とともにローリングを防止する方向の駆動力を発生するように構成された対物レンズの駆動装置が知られている。（特許文献３参照。）
【特許文献１】特開平９−２１２９０５号公報
【特許文献２】特開２００１−３４４８０３号公報
【特許文献３】特開２００１−２２２８３０号公報
【発明の開示】
【発明が解決しようとする課題】
【００１２】
特許文献３に記載されている対物レンズ駆動装置は、マグネットの有効面に相対するレンズホルダーの１つの側面の両側にそれぞれトラッキングコイルを必要とするとともにマグネットの有効面に逆極性の磁極をフォーカス方向に対して斜めに着磁する必要があり、磁気回路の制約が多いという問題がある。
【００１３】
また、マグネットの有効面の磁極の境界が斜めであるので、トラッキング方向及びフォーカス方向にレンズホルダーが変位されると、マグネットの有効面の磁極と各トラッキングコイルの有効辺との位置関係が各トラッキングコイルでアンバランスとなる。すなわち、レンズホルダーがトラッキング方向に変位されると、この変位に応じて磁極の境界に対して各トラッキングコイルが位置する関係が変化する。そのため、各トラッキングコイルによって発生するローリング防止用の駆動力がアンバランスとなり、レンズホルダーの重心周りにモーメントが発生する。
【００１４】
従って、各トラッキングコイルに供給される駆動信号によって発生する電磁力に応じてレンズホルダーの重心周りに発生するモーメントが変化し、ローリングを十分に防止することが出来ないことになる。
【００１５】
また、図１０に示すようにマグネットの有効面に逆極性の磁極を設けるために多極マグネットが使用されているが、斯かる多極マグネットは、その着磁の境界に磁気を持たない不磁極と呼ばれる部分(斜線で示す)が形成されることになる。その結果、レンズホルダーに固定されている各種のコイルに対向して設けられている多極マグネットから得られる磁束密度が低下するという問題がある。
【００１６】
従って、レンズホルダーを変位させるために磁界を生成するマグネットとして多極マグネットを使用すると、磁束密度が低下するため、同一の駆動力を得るためには、マグネットの形状を大きくする必要があり、光ピックアップ装置の小型化には適していなかった。それ故、光ピックアップ装置を小型化するためには、マグネットの材料として高価な金属を使用せざるを得ないという問題がある。
【００１７】
本発明は、斯かる問題を解決することが出来る光ピックアップ装置を提供しようとするものである。
【課題を解決するための手段】
【００１８】
本発明は、対物レンズが取り付けられるとともに複数の支持ワイヤーによってアクチュエータフレームに対して変位可能に弾性的に支持されているレンズホルダーと、該レンズホルダーの側面に固定されているとともに前記アクチュエータフレームに固定されている第１マグネット及び第２マグネットとから生成される磁界にて形成される第１フォーカス用磁気回路との協働により該レンズホルダーを光ディスクの信号面に対して垂直方向へ変位せしめる駆動力を発生させる第１フォーカスコイルと、前記レンズホルダーの側面に固定されているとともに前記アクチュエータフレームに固定されている第３マグネット及び第４マグネットとから生成される磁界にて形成される第２フォーカス用磁気回路との協働により該レンズホルダーを光ディスクの信号面に対して垂直方向へ変位せしめる駆動力を発生させる第２フォーカスコイルと、前記レンズホルダーの側面に固定されているとともに前記第２マグネット及び前記第４マグネットとから生成される磁界にて形成されるトラッキング用磁気回路との協働により該レンズホルダーを光ディスクのトラッキング方向へ変位せしめる駆動力を発生させるトラッキングコイルと、前記レンズホルダーの側面に固定されているとともに各々前記第１フォーカス用磁気回路及び第２フォーカス用磁気回路との協働により前記トラッキングコイルへの駆動信号の供給により該レンズホルダーがトラッキング方向へ変位せしめられる際に発生するローリングを打ち消す方向に駆動力を発生する第１及び第２ローリング打消しコイルとより構成され、前記１、第２、第３及び第４マグネットを単極マグネットにて構成するとともに第１及び第２マグネットを密着させ、且つ第３マグネットと第４マグネットとを密着させ、更に第２マグネットと第４マグネットとを密着させて配置したことを特徴とするものである。
【００１９】
また、本発明は、第１マグネットと第３マグネットとを同一の形状の単極マグネットにて構成するとともに第２マグネットと第４マグネットとを同一形状の単極マグネットにて構成したことを特徴とするものである。
【００２０】
そして、本発明は、対物レンズの光軸方向と平行な前記トラッキングコイルの巻回中心点を通る軸がレンズホルダーの重心とレンズホルダーの側面に対して垂直に結ぶ平面上に位置するようにトラッキングコイルを配置したことを特徴とするものである。
【００２１】
更に、本発明は、第１フォーカスコイルと第２フォーカスコイルとをトラッキングコイルを中心として対称の位置になるように配置したことを特徴とするものである。
【００２２】
また、本発明は、第１ローリング打消しコイルと第２ローリング打消しコイルとをトラッキングコイルを中心として対称の位置になるように配置したことを特徴とするものである。
【００２３】
そして、本発明は、第１ローリング打消しコイル及び第２ローリング打消しコイルを各々第１フォーカスコイル及び第２フォーカスコイルに重ねて配置したことを特徴とするものである。
【００２４】
更に、本発明は、異なる規格の光ディスクに記録されている信号の読み出し動作を行う第１及び第２の対物レンズをレンズホルダーに取り付けたことを特徴とするものである。
【００２５】
また、本発明は、第１対物レンズの中心軸と第２対物レンズの中心軸とを結ぶ線が光ディスクの径方向になるように第１対物レンズと第２対物レンズとを配置したことを特徴とするものである。
【００２６】
そして、本発明は、対物レンズの光軸を通るトラッキング方向の仮想線に対して線対称になるように各種駆動コイルの配置位置及び各マグネットの配置位置が設定されていることを特徴とするものである。
【００２７】
また、本発明は、レンズホルダーの側面に沿って該レンズホルダーの周囲に第1チルトコイルと第２チルトコイルとをそれぞれ対物レンズの光軸方向に位置をずらして巻回し、第1チルトコイルと第２チルトコイルとに互いに逆向きに駆動信号を流すように構成するとともに第１チルトコイル及び第２チルトコイルの有効辺領域をマグネットの互いに逆極性の磁極面に相対させるようにして前記レンズホルダーをラジアルスキュー方向にチルト駆動させることが出来るように構成したことを特徴とするものである。
【発明の効果】
【００２８】
本発明の光ピックアップ装置は、トラッキングコイルへの駆動信号の供給によりレンズホルダーがトラッキング方向へ変位せしめられる際に発生するローリングを打ち消す方向に駆動力を発生する第１及び第２ローリング打消しコイルを設けたので、レンズホルダーのローリングを防止することが出来るだけでなく、マグネットを単極マグネットにて構成したので、磁束密度を高めることが出来、その結果マグネットの形状を小さくすることが可能となり、本発明は、光ピックアップ装置の小型化に対して大きな効果を奏するものである。
【００２９】
また、本発明の光ピックアップ装置は、第１マグネットと第３マグネットとを同一の形状の単極マグネットにて構成するとともに第２マグネットと第４マグネットとを同一形状の単極マグネットにて構成したので、２つのマグネットを製造すれば良く、コストの上昇を抑えることが出来る。
【００３０】
そして、本発明の光ピックアップ装置は、対物レンズの光軸方向と平行な前記トラッキングコイルの巻回中心点を通る軸がレンズホルダーの重心とレンズホルダーの側面に対して垂直に結ぶ平面上に位置するようにトラッキングコイルを配置したので、レンズホルダーのトラッキング方向への変位動作を行う際の傾きを抑えることが出来る。
【００３１】
また、本発明の光ピックアップ装置は、第１フォーカスコイルと第２フォーカスコイルとをトラッキングコイルを中心として対称の位置になるように配置したので、レンズホルダーのフォーカス方向への変位動作を行う際の傾きを抑えることが出来る。
【００３２】
そして、本発明の光ピックアップ装置は、第１ローリング打消しコイルと第２ローリング打消しコイルとをトラッキングコイルを中心として対称の位置になるように配置したので、レンズホルダーのローリング防止方向への制御動作を行う際の傾きを抑えることが出来る。
【００３３】
また、本発明の光ピックアップ装置は、第１ローリング打消しコイル及び第２ローリング打消しコイルを各々第１フォーカスコイル及び第２フォーカスコイルに重ねて配置したので、共通の磁気回路を利用することが出来、小型化する場合に大きな効果を奏するもの
である。
【００３４】
更に、本発明の光ピックアップ装置は、レンズホルダーの側面に沿って該レンズホルダーの周囲に第1チルトコイルと第２チルトコイルとをそれぞれ対物レンズの光軸方向に位置をずらして巻回し、第1チルトコイルと第２チルトコイルとに互いに逆向きに駆動信号を流すように構成するとともに第１チルトコイル及び第２チルトコイルの有効辺領域をマグネットの互いに逆極性の磁極面に相対させるようにして前記レンズホルダーをラジアルスキュー方向にチルト駆動させることが出来るように構成したので、レンズホルダーに取り付けられている対物レンズの光軸を光ディスクの信号面に対して最適な関係になるように制御することが出来る。
【実施例】
【００３５】
図１は本発明に係る光ピックアップ装置の主要部の一実施例を示す斜視図、図２は図１に示した実施例の主要部であるレンズホルダーを示す斜視図、図３は図１に示した実施例の主要部である磁気回路を示す斜視図である。
【００３６】
１はレンズホルダーであり、記録密度が相違する各光ディスクにそれぞれ対応する開口数の第１対物レンズ２及び第２対物レンズ３がトラッキング方向に並んで配置固定されている。すなわち、前記第１対物レンズ２の中心軸と第２対物レンズ３の中心軸を結ぶ線(仮想線Ａにて示す)が光ディスクの中心軸を通るように配置されている。
【００３７】
４及び５は、一対のマグネットであり、トラッキング方向及びフォーカス方向と直交する方向に前記レンズホルダー１を挟んで対向するように配置されている。すなわち、前記マグネット４及び５は第１対物レンズ２の中心軸と第２対物レンズ３の中心軸を結ぶ仮想線Ａに対して線対称になるように配置されている。
【００３８】
前記マグネット４及び５は、各々図４に示すように第１マグネット４Ａ、５Ａ、第２マグネット４Ｂ、５Ｂ、第３マグネット４Ｃ、５Ｃ及び第４マグネット４Ｄ、５Ｄにて構成されている。斯かるマグネット４及び５の構成の詳細については、後述する。
【００３９】
前記レンズホルダー１のトラッキング方向と直交する各側面には、それぞれ中央部にトラッキング方向と直交する方向に巻回軸を有して角を丸めた矩形状に巻回されたトラッキングコイル６が装着され、両端部にはそれぞれトラッキング方向と直交する方向に巻回軸を有して角を丸めた矩形状に巻回された第１フォーカスコイル７及び第２フォーカスコイル８が装着されており、トラッキングコイル６、第１フォーカスコイル７及び第２フォーカスコイル８の各駆動コイルは、第１対物レンズ２の中心軸と第２対物レンズ３の中心軸を結ぶ仮想線Ａに対して線対称になるように配置されている。
【００４０】
また、角を丸めた矩形状の第１ローリング打消しコイル９は、前記第１フォーカスコイル７と同軸になるように重ねて配置され、角を丸めた矩形状の第２ローリング打消しコイル１０は、前記第２フォーカスコイル８と同軸になるように重ねて配置されている。そして、斯かる第１ローリング打消しコイル９及び第２ローリング打消しコイル１０は、フォーカスコイルと同様に第１対物レンズ２の中心軸と第２対物レンズ３の中心軸を結ぶ仮想線Ａに対して線対称になるように配置されている。
【００４１】
前記トラッキングコイル６、第１フォーカスコイル７、第２フォーカスコイル８、第１ローリング打消しコイル９及び第２ローリング打消しコイル１０の各駆動コイルは、前述したようにそれぞれ角を丸めた矩形状に巻回されることにより後述する磁気回路により形成される有効磁界に対して有効に作用する直線状の有効辺領域を有している。
【００４２】
また、前記レンズホルダー１の周囲には、前記第１対物レンズ２及び第２対物レンズ３の光軸方向と平行の巻回軸を有する第１チルトコイル１１と第２チルトコイル１２とがそれぞれ前記光軸方向に位置をずらしてレンズホルダー１の側面に沿って巻回されている。前記第１チルトコイル１１と第２チルトコイル１２のトラッキング方向と直交する２辺が前記マグネット４及び５の各有効面とが相対されて各有効辺領域となるように構成されている。
【００４３】
一対のマグネット４及び５は、それぞれ図３に示すようにトラッキングコイル６の第１対物レンズ２及び第２対物レンズ３の光軸方向の各有効辺領域にそれぞれ互いに逆極性の磁界面を相対させるべく横方向(対物レンズの光軸方向と直交する方向)の中央に磁界境界が配置されるように構成されている。すなわち、図４に示す如く、その磁極境界を境に図中右側がＮ極に、図中左側がＳ極になるように設定されているとともに第１フォーカスコイル７及び第２フォーカスコイル８の対物レンズの光軸と直交する方向となる各有効辺領域にそれぞれ互いに逆極性の磁極面を相対させるべく上下方向(対物レンズの光軸方向)の中央に磁極境界が形成されるように構成され、また図中右側のＮ極部分の右下方が矩形状にＳ極になるように設定され、図中左側のＳ極部分の左下方が矩形状にＮ極になるように構成されている。そして、一対のマグネット４及び５のそれぞれの磁極は、各駆動コイルと同様に第１対物レンズ２の中心軸と第２対物レンズ３の中心軸を結ぶ仮想線Ａに対して線対称になるように配置されている。
【００４４】
一方、レンズホルダー１のマグネット４及び５にそれぞれ相対する各側面の各駆動コイルは、図５に示す分解斜視図のように巻回方向が設定されている。すなわち、トラッキングコイル６は、レンズホルダー１の各側面において実線の矢印の如く、同一方向から見て互いに巻回方向が逆向きに設定されている。このように同一方向から見て互いに巻回方向が逆向きになっているので、対応する各マグネットの磁極面からそれぞれ見た場合に巻回方向が同一となる。一対のマグネット４及び５の磁極は、仮想線Ａに対して線対称に設定されているので、図６の磁気回路の上からの模式図のように、トラッキングコイル６の縦方向(対物レンズの光軸方向)の有効辺領域にそれぞれ流されるトラッキング駆動信号に対してマグネット４及び５から生成される磁束が各トラッキングコイル６に有効に作用するように構成されている。そのため、各トラッキングコイル６にトラッキング駆動信号が供給されると、そのトラッキング駆動信号の方向に応じてレンズホルダー１が対物レンズ２及び３の光軸方向と直交するトラッキング方向に駆動される。因みに、各トラッキングコイル６に図６の丸印に示す向きのトラッキング駆動信号が供給された場合、レンズホルダー１は図６において右側のトラッキング方向に駆動されることになる。
【００４５】
第１フォーカスコイル７は、図５に示したようにレンズホルダー１の各側面において、実線の矢印の如く、同一方向から見て互いに巻回方向が逆向きなるように設定されている。このように巻回されているので、対応する各マグネットの磁極面からそれぞれ見た場合に巻回方向が同一となる。一対のマグネット４及び５のそれぞれの磁極は、図７の磁気回路の右側からの模式図のように各第１フォーカスコイル７の横方向(対物レンズの光軸方向と直交する方向)の有効辺領域にそれぞれ流されるフォーカス駆動信号に対してマグネット４及び５により生成される磁束が有効に作用するように構成されている。
【００４６】
また、第２フォーカスコイル８は、図６に示したようにレンズホルダー１の各側面において、実線の矢印の如く、同一方向から見て互いに巻回方向が逆向きなるように設定されている。このように巻回されているので、対応する各マグネットの磁極面からそれぞれ見た場合に巻回方向が同一となる。一対のマグネット４及び５のそれぞれの磁極は、図８の磁気回路の左側からの模式図のように各第２フォーカスコイル８の横方向(対物レンズの光軸方向と直交する方向)の有効辺領域にそれぞれ流されるフォーカス駆動信号に対してマグネット４及び５により生成される磁束が有効に作用するように構成されている。
【００４７】
しかも、第２フォーカスコイル８は、図６に示すようにレンズホルダー１の同一側面に配置されている第１フォーカスコイル７と巻回方向が逆向きになるように構成されている。そして、第１フォーカスコイル７と第２フォーカスコイル８とでは相対するマグネット４及び５の磁極が逆極性になるようにされているので、第１フォーカスコイル７と第２フォーカスコイル８とは同時に供給されるフォーカス駆動信号に対して同一方向への駆動力を発生する関係にある。
【００４８】
因みに、各第１フォーカスコイル７及び各第２フォーカスコイル８に図７及び図８の実線の丸印に示す向きのフォーカス駆動信号が供給された場合、レンズホルダー１は図７及び図８において、上方へ駆動されることになる。
【００４９】
また、第１ローリング打消しコイル９は、図５に示すようにレンズホルダー１の各側面おいて、実線で示す矢印の如く、同一方向から見て互いに巻回方向が逆向きになるようにされている。このように同一方向から見て互いに巻回方向が逆向きになっているので、対応する各マグネットの磁極面からそれぞれを見た場合には巻回方向が同一となる。一対のマグネット４及び５のそれぞれの磁極は、図７に示すように各第１ローリング打消しコイル９の横方向の有効辺領域にそれぞれ流される駆動信号に対してマグネット４及び５から生成される磁束が有効に作用するように構成されている。
【００５０】
また、第２ローリング打消しコイル１０は、図５に示すようにレンズホルダー１の各側面おいて、実線で示す矢印の如く、同一方向から見て互いに巻回方向が逆向きになるようにされている。このように同一方向から見て互いに巻回方向が逆向きになっているので、対応する各マグネットの磁極面からそれぞれを見た場合には巻回方向が同一となる。一対のマグネット４及び５のそれぞれの磁極は、図８に示すように各第２ローリング打消しコイル１０の横方向の有効辺領域にそれぞれ流される駆動信号に対してマグネット４及び５から生成される磁束が有効に作用するように構成されている。
【００５１】
そして、前記第２ローリング打消しコイル１０は、図５に示したようにレンズホルダー１の側面に配置されている第１ローリング打消しコイル９と巻回方向が同じ向きに設定されている。第１ローリング打消しコイル９と第２ローリング打消しコイル１０とでは、相対されるマグネット４及び５の磁極が逆極性になっているので、第１ローリング打消しコイル９と第２ローリング打消しコイル１０とは、同時に供給される駆動信号に対して逆方向への駆動力が発生する。そのため、レンズホルダー１の第１ローリング打消しコイル９が配置されている側と第２ローリング打消しコイル１０が配置されている側とで逆方向に駆動されることにより、該レンズホルダー１を光ディスクのラジアル方向に傾かせる変位力が発生することになる。
【００５２】
因みに、各第１ローリング打消しコイル９及び第２ローリング打消しコイル１０に図７及び図８の破線の丸印に示す方向へのトラッキング駆動信号が供給された場合、レンズホルダー１は図７に示すようにレンズホルダー１の各第１ローリング打消しコイル９が配置されている半分側において上方への駆動力が発生し、図８に示すようにレンズホルダー１の各第２ローリング打消しコイル１０が配置されている半分側において下方への駆動力が発生することになる。
【００５３】
次に、第１チルトコイル１１及び第２チルトコイル１２はレンズホルダー１の側面に巻回されているが、その巻回方向は互いに逆方向になるようにされている。そして、前記第１チルトコイル１１の各有効辺領域は、マグネット４及び５の横方向(対物レンズの光軸方向と直交する方向)の中央の磁極境界に相対する位置を境にして左右で逆極性の磁極に相対し、前記第２チルトコイル１２の各有効辺領域は、マグネット４及び５の横方向(対
物レンズの光軸方向と直交する方向)の中央の磁極境界に相対する位置を境にして左右で逆極性の磁極に相対し、中央分を除いて第１チルトコイル１１の各有効辺領域に相対するマグネット４及び５の磁極とは逆極性の磁極に相対している。
【００５４】
そのため、第１チルトコイル１１及び第２チルトコイル１２にチルト駆動信号が供給されると、第１チルトコイル１１及び第２チルトコイル１２の各有効辺領域の左右において逆方向でフォーカス方向への駆動力が発生するので、レンズホルダー１が光ディスクのラジアル方向に傾かせる駆動力が発生することになる。この場合、第２チルトコイル１２の各有効辺領域の中央部分で傾く駆動力を打ち消す駆動力が発生するが、その駆動力は前記レンズホルダー１をラジアル方向へ傾かせる駆動力と比較して十分に小さいので、その影響は無視することが出来る。
【００５５】
前述したようにレンズホルダー１に各駆動コイルは固定されているが、各コイルの前記レンズホルダー１への取り付けについて説明する。レンズホルダー１に各コイルを固定する場合、まず第１チルトコイル１１及び第２チルトコイル１２をレンズホルダー１の側面に沿って連続して巻回させるが、この第１チルトコイル１１及び第２チルトコイル１２は連結されている。
【００５６】
次に、各第１フォーカスコイル７及び各第２フォーカスコイル８をレンズホルダー１の各側面に連続して巻回させる。レンズホルダー１の各側面に配置される各第１フォーカスコイル７及び第２フォーカスコイル８は連結されており、このたるに駆動コイルの素線をレンズホルダー１の一方面の第１フォーカスコイル７及び第２フォーカスコイル８を第１チルトコイル１１に沿わせて連続して順次巻回し、その後その素線を第１チルトコイル１１に沿わせてレンズホルダー１の他方面側に導き、レンズホルダー１の他方面側の第２フォーカスコイル８及び第１フォーカスコイル７を第１チルトコイル１１に沿わせて連続して順次巻回する。
【００５７】
次に、各トラッキングコイル６、各第１ローリング打消しコイル９及び第２ローリング打消しコイル１０をレンズホルダー１の各側面に連続して巻回する。レンズホルダー１の各側面に配置される各トラッキングコイル６、各第１ローリング打消しコイル９及び各ローリング打消しコイル１０は連結されており、各トラッキングコイル６に供給されるトラッキング駆動信号が各第１ローリング打消しコイル９及び第２ローリング打消しコイル１０にも供給されるように構成されている。
【００５８】
これらの各駆動コイルを互いに連結するために各駆動コイルの素線をレンズホルダー１の一方面側の第２ローリング打消しコイル１０、トラッキングコイル６、第１ローリング打消しコイル９を第２チルトコイル１２に沿わせてレンズホルダー１の他方面側に導き、レンズホルダー１の他方面側の第１ローリング打消しコイル９、トラッキングコイル６、第２ローリング打消しコイル１０を第２チルトコイル１２に沿わせて連続して順次巻回する。
【００５９】
各トラッキングコイル６、各第１フォーカスコイル７、各第２フォーカスコイル８、各第１ローリング打消しコイル９及び各第２ローリング打消しコイル１０の各駆動コイルは、レンズホルダー１の各側面にそれぞれ形成されているボビン部に素線を巻回することによって形成され、レンズホルダー１の各側面には、トラッキングコイル６が巻回されるボビン部１３、第１フォーカスコイル７及び第１ローリング打消しコイル９が同軸にて巻回されるボビン部１４及び第２フォーカスコイル８及び第２ローリング打消しコイル１０が同軸にて巻回されるボビン部１５が一体的に設けられている。
【００６０】
前述したようにレンズホルダー１に各種の駆動コイルが取り付けられているが、該レン
ズホルダー１は、一端がレンズホルダー１に固定されているとともに他端がアクチュエータフレーム２０の所定の側壁に補助部材２３を介して該補助部材２３と一体的に固定される固定基板２１に固定されて架設される片側３本ずつ両側で６本の支持ワイヤー２２によって前記アクチュエータフレーム２０に対してフォーカシング方向、トラッキング方向及びラジアル方向に変位可能に弾性的に支持されている。
【００６１】
この場合、各支持ワイヤー２２はトラッキング方向にレンズホルダー１側の間隔を固定基板２１側の間隔より僅かに狭まるようにハの字状に架設され、レンズホルダー１を含む可動部のローリング固有振動数を高くするように構成されている。また、各支持ワイヤー２２は補助部材２３に形成されている各孔を片側３本ずつ貫通し、その各孔に充填されるダンプ剤２４によって囲繞されて制振が図られている。
【００６２】
前述したようにレンズホルダー１をアクチュエータフレーム２０に対して変位可能に弾性的に支持する６本の支持ワイヤー２２の一端は前記固定基板２１に固定されているが、他方の各端部はレンズホルダー１の各側面に一体的に形成されている所定の突部２５に接触あるいは接近して配置される。前記レンズホルダー１に連続して巻回される各駆動コイルの素線、すなわち、第１チルトコイル１１及び第２チルトコイル１２の素線、各第１フォーカスコイル７及び各第２フォーカスコイル８の素線、各トラッキングコイル６の素線、各第１ローリング打消しコイル９及び各第２ローリング打消しコイル１０の素線のそれぞれの両端末はそれぞれ所定の突部２５に絡げられるので、この所定の突部２５に絡げられた各駆動コイルの素線の端末にハンダ付けにより所定の支持ワイヤー２２と所定の駆動コイルとがそれぞれ関係付けられて電気的に接続される。
【００６３】
斯かる構成によれば各駆動コイルへの駆動信号の供給は、所定の支持ワイヤー２２を経由して行われることになる。例えば、第１チルトコイル１１及び第２チルトコイル１２へのチルト駆動信号の供給は、左右両側面における上下方向の中間に架設される支持ワイヤー２２を経由して行われ、各第１フォーカスコイル７及び各第２フォーカスコイル８へのフォーカス駆動信号の供給は、一方の側面における一番上及び一番下に架設されている支持ワイヤー２２を経由して行われる。また、各トラッキングコイル６、各第１ローリング打消しコイル９及び各第２ローリング打消しコイル１０へのトラッキング駆動信号の供給は、他方の側面における一番上及び一番下に架設されている支持ワイヤー２２を経由して行われる。
【００６４】
前記第１チルトコイル１１及び第２チルトコイル１２にチルト駆動信号が供給されると、第１チルトコイル１１及び第２チルトコイル１２の有効辺領域の中央を境にして互いに逆向きのフォーカス方向への駆動力が発生される。そのため、レンズホルダー１はチルト駆動信号の極性に応じた向きでチルト駆動信号の電流量に応じた変位量によりラジアルスキュー方向に駆動されることになる。
【００６５】
また、前記各第１フォーカスコイル７及び各第２フォーカスコイル８にフォーカス駆動信号が供給されると、各第１フォーカスコイル７及び各第２フォーカスコイル８に同一のフォーカス方向に駆動力が発生される。そのため、レンズホルダー１はフォーカス駆動信号の極性に応じた向きでフォーカス駆動信号の電流量に応じた変位量によりフォーカス方向に駆動されることになる。
【００６６】
更に、前記各トラッキングコイル６にトラッキング駆動信号が供給されると、各トラッキングコイル６に同一のトラッキング方向に駆動力が発生される。そのため、レンズホルダー１はトラッキング駆動信号の極性に応じた向きでトラッキング駆動信号の電流量に応じた変位量によりトラッキング方向に駆動されることになる。
【００６７】
本実施例において、図９に示すように第１対物レンズ２及び第２対物レンズ３が光ディスクに近づくようにレンズホルダー１の上面に配置されていること及びレンズホルダー１の構造、あるいは各駆動コイルの配置や磁気回路の構成からレンズホルダー１を含むアクチュエータ可動部の重心Ｇはレンズホルダー１の中心より上方へ偏倚している。一方、レンズホルダー１をトラッキング方向へ駆動する際に発生される駆動力の作用点Ａは、レンズホルダー１の対物レンズ２及び３の光軸方向の略中央となり、前記アクチュエータ可動部の重心Ｇとは光軸方向にずれている。そのため、レンズホルダー１がトラッキング方向に駆動される際レンズホルダー１に対して光ディスクのラジアル方向に傾けるローリング力が発生することになる。
【００６８】
前記各トラッキングコイル６にトラッキング駆動信号が供給されると、各トラッキングコイル６に連結されている各第１ローリング打消しコイル９及び各第２ローリング打消しコイル１０にも該トラッキング駆動信号が供給される。各第１ローリング打消しコイル９及び各第２ローリング打消しコイル１０にトラッキング駆動信号が供給されると、レンズホルダー１の第１ローリング打消しコイル９が配置されている側と第２ローリング打消しコイル１０が配置されている側とで逆向きでフォーカス方向への駆動力が発生する。そのため、レンズホルダー１はトラッキング駆動信号の極性に応じた向きでトラッキング駆動信号の電流量に応じた変位量によりラジアルスキュー方向に駆動されることになる。
【００６９】
前記各第１ローリング打消しコイル９及び各第２ローリング打消しコイル１０にトラッキング駆動信号が供給されてレンズホルダー１に発生されるラジアルスキュー方向の駆動力は、前記トラッキング駆動信号を各トラッキングコイル６に供給した際にレンズホルダー１に発生するトラッキング方向への駆動力に応じて発生するローリング量に対応し、そのラジアルスキュー方向への駆動方向は前記トラッキング駆動信号を各トラッキングコイル６に供給した際にレンズホルダー１に発生するトラッキング方向の駆動力に応じて発生するローリング力の方向と逆向きになるように設定されている。
【００７０】
従って、各トラッキングコイル６にトラッキング駆動信号が供給され、図９に示すようにレンズホルダー１にローリングさせる力Ｆｒが発生すると、同時に各第１ローリング打消しコイル９及び各第２ローリング打消しコイル１０にトラッキング駆動信号が供給され、各第１ローリング打消しコイル９及び各第２ローリング打消しコイル１０に供給されるトラッキング駆動信号によって発生する駆動力Ｆｃが発生する。
【００７１】
レンズホルダー１をトラッキング動作時にローリングさせる力Ｆｒの方向と各第１ローリング打消しコイル９及び各第２ローリング打消しコイル１０に供給されるトラッキング駆動信号によって発生する駆動力Ｆｃの方向とは逆向きになるので、レンズホルダー１のトラッキング動作時のローリングを抑えることが出来る。
【００７２】
以上に説明したように本発明に係る光ピックアップ装置は構成されているが、次にマグネット４及び５の構成について図１１を参照して説明する。マグネット４及び５は、図４を参照にして説明したように各々第１マグネット４Ａ及び５Ａ、第２マグネット４Ｂ及び５Ｂ、第３マグネット４Ｃ及び５Ｃ、そして第４マグネット４Ｄ及び５Ｄにて構成されている。
【００７３】
そして、図１１に示すように第１マグネット４Ａ、第２マグネット４Ｂ、第３マグネット４Ｃ、第４マグネット４Ｄは、個々に分離したＮ極とＳ極を持つ単極マグネットにて構成されている。また、斯かる図面より明らかなように第１マグネット４Ａと第３マグネット４Ｃとは、同一のマグネットであり、第２マグネット４Ｂと第４マグネット４Ｄとは同一のマグネットである。尚、マグネット５はマグネット４とは逆極性となるように配置されているが同一構成のマグネットである。
【００７４】
斯かる構成のマグネットにおいて、第１マグネット４Ａ及び５Ａと第２マグネット４Ｂ及び５Ｂとを密着させるとともに第３マグネット４Ｃ及び５Ｃと第４マグネット４Ｄ及び５Ｄとを密着させ、更に第２マグネット４Ｂ及び５Ｂと第４マグネット４Ｄ及び５Ｄとを密着させることによって図４に示すマグネット４及び５が形成されることになる。
【００７５】
図１２はマグネット４とトラッキングコイル６、第１フォーカスコイル７及び第２フォーカスコイル８との関係を示すものであり、第１マグネット４Ａと第２マグネット４Ｂとから生成される磁界にて形成される第１フォーカス用磁気回路内に第１フォーカスコイル７が配置されているとともに第３マグネット４Ｃと第４マグネット４Ｄとから生成される磁界にて形成される第２フォーカス用磁気回路内に第２フォーカスコイル８が配置され、更に第２マグネット４Ｂと第４マグネット４Ｄとから生成される磁界にて形成されるトラッキング用磁気回路内にトラッキングコイル６が配置されている。
【００７６】
斯かる構成において、トラッキングコイル６に矢印方向へのトラッキング駆動信号が流れると該トラッキングコイル６に矢印Ｘ方向への駆動力が発生することになる。すなわち、このＸ方向は光ディスクのトラッキング方向であり、レンズホルダー１をトラッキング方向へ変位させる駆動力となる。従って、トラッキングコイル６に流れるトラッキング駆動信号の流れる方向や駆動信号の大きさを変化させることによってレンズホルダー１、即ち対物レンズ２及び３のトラッキング方向の位置を制御する動作、所謂トラッキング制御動作を行うことが出来る。
【００７７】
また、第１フォーカスコイル７及び第２フォーカスコイル８に矢印方向へのフォーカス駆動信号が流れると該第１フォーカスコイル７及び第２フォーカスコイル８に矢印Ｙ方向への駆動力が発生することになる。すなわち、このＹ方向は光ディスクの信号面方向であり、レンズホルダー１を光ディスクの信号面方向へ変位させる駆動力となる。従って、第１フォーカスコイル７及び第２フォーカスコイル８に流れるフォーカス駆動信号の流れる方向や駆動信号の大きさを変化させることによってレンズホルダー１、即ち対物レンズ２及び３のフォーカス方向の位置を制御する動作、所謂フォーカス制御動作を行うことが出来る。
【００７８】
以上に説明したようにトラッキング制御動作及びフォーカス制御動作のためのレンズホルダー１の駆動変位動作は行われるが、第１ローリング打消しコイル９、第２ローリング打消しコイル１０、第１チルトコイル１１及び第２チルトコイル１２によるレンズホルダー１の駆動変位動作も同様の原理にて行うことが出来るので、その説明は省略した。
【図面の簡単な説明】
【００７９】
【図１】本発明に係る光ピックアップ装置の主要部の一実施例を示す斜視図である。
【図２】図１に示した実施例の主要部であるレンズホルダーを示す斜視図である。
【図３】図１に示した実施例の主要部である磁気回路を示す斜視図である。
【図４】本発明に係る光ピックアップ装置を構成するマグネットを示す斜視図である。
【図５】本発明に係る光ピックアップ装置を構成する各駆動コイルの巻回方向を説明するための分解斜視図である。
【図６】本発明に係る光ピックアップ装置を構成する磁気回路を説明するための上から見た模式図である。
【図７】本発明に係る光ピックアップ装置を構成する磁気回路を説明するための右から見た模式図である。
【図８】本発明に係る光ピックアップ装置を構成する磁気回路を説明するための左から見た模式図である。
【図９】本発明に係る光ピックアップ装置を構成するレンズホルダーのローリングの発生を防止する動作を説明するための図である。
【図１０】多極マグネットを説明するための図である。
【図１１】本発明に係る光ピックアップ装置を構成するマグネットの構成を説明するための図である。
【図１２】本発明に係る光ピックアップ装置を構成するマグネットと駆動コイルとの関係を説明するための図である。
【符号の説明】
【００８０】
１      レンズホルダー
２      第１対物レンズ
３      第２対物レンズ
４、５  マグネット
６      トラッキングコイル
７      第1フォーカスコイル
８      第２フォーカスコイル
９      第１ローリング打消しコイル
１０    第２ローリング打消しコイル
１１    第１チルトコイル
１２    第２チルトコイル
２０    アクチュエータフレーム
２１    固定基板
２２    支持ワイヤー
２３    補助部材
【図１】
2008152831.tif 000003
【図２】
2008152831.tif 000004
【図３】
2008152831.tif 000005
【図４】
2008152831.tif 000006
【図５】
2008152831.tif 000007
【図６】
2008152831.tif 000008
【図７】
2008152831.tif 000009
【図８】
2008152831.tif 000010
【図９】
2008152831.tif 000011
【図１０】
2008152831.tif 000012
【図１１】
2008152831.tif 000013
【図１２】
2008152831.tif 000014